(57)【特許請求の範囲】
【請求項１】
閉扉時に一列に整列される複数の扉板を備えた扉装置において、互いに隣接する２つの扉板間をそれぞれ平行な２本のレバーで連結し、該レバーと扉板とでパンタグラフ機構を形成し、
前記全ての扉板の一端部は、該扉板の少なくとも上下何れか一方に設けられたレールに対して回動自在且つ摺動自在に案内支持されており、
前記レールは一端と他端を有し、該レールの一端近傍には扉板の配列の一端に位置する扉板の一端部と対峙する案内部材が設けられ、該案内部材の前端面は閉鎖時の該扉板の前面よりも後方に位置していることを特徴とする扉装置。
【請求項２】
閉扉時に一列に整列される複数の扉板を備えた扉装置において、互いに隣接する２つの扉板間をそれぞれ平行な２本のレバーで連結し、該レバーと扉板とでパンタグラフ機構を形成し、
前記扉板の少なくとも上下何れか一方にレールが配置され、扉板の配列の一端部に位置する扉板の一端部が前記レールの一端近傍に摺動不能に枢支され、他の全ての扉板の一端部は該レールに対して回動自在且つ摺動自在に案内支持されており、
扉板の配列の一端部に位置する扉板は揺動片を備え、該揺動片は一部を該扉板の一端部に枢着され且つ他部を前記レールの一端近傍に摺動不能に枢支されていることを特徴とする扉装置。
【請求項３】
３つ以上の扉板を備えた請求項１又は２記載の扉装置において、各扉板はそれぞれ一端部と他端部を有し、２本のレバーのうちの一方は互いに隣接する２つの扉板のうちの一方の扉板の中央部と他方の扉板の一端部とを、また他方のレバーは一方の扉板の他端部と他方の扉板の中央部とを連結して四節平行リンクを形成し、隣接する３つの扉板のうちの中央の扉板の中央部に連結されるレバーは扉板とほぼ同一の長さを有し、該レバーの両端を両側の扉板の一端部と他端部とにそれぞれ連結したことを特徴とする扉装置。
【発明の詳細な説明】
【０００１】
【発明の属する技術分野】
この発明は例えば収納家具、建築物の出入り口、建築物内の可動間中仕切り等に好適に用いることができる扉装置に関し、更に詳しくは、一列に整列される複数の扉板を互いに連動させて互いに同方向に且つ折り畳み可能に開閉動させることができる扉装置に関する。
【０００２】
【従来の技術】
従前より閉扉時に一列に整列される複数の扉板を互いに折り畳み可能に開閉動作させる扉装置が知られている。従来のこの種の扉装置は、図１７に示すように、互いに隣接する２つの扉板を互いに連結し、両扉板をＶ字状に折り畳むように構成されている。
【０００３】
【発明が解決しようとする課題】
前記構成の扉装置においては、一列状に整列した扉板を開きはじめるときに互いに隣接する２つの扉板の連結部側を手前に引いて折り畳みのきっかけを作る必要があるので、操作が面倒である。
【０００４】
また、この種の扉装置は各扉板を回動させるものであるが、開閉操作される扉板は操作部（取手部）２４のある側辺を中心として該側辺部とは反対側の側辺が回動されるので、開閉操作がしずらいという欠点がある。
【０００５】
したがって、本発明の目的は、閉扉時に一列に整列される複数の扉板を同一方向に回動させながら互いに折り畳み可能に開閉動作させることができる扉装置を提供することにある。
【０００６】
【課題を解決するための手段】
上記課題を解決するために、本発明の請求項１では、閉扉時に一列に整列される複数の扉板を備えた扉装置において、互いに隣接する２つの扉板間がそれぞれ平行な２本のレバーによって連結され、レバーと扉板とによりパンタグラフ機構を形成し、前記全ての扉板の一端部は、該扉板の少なくとも上下何れか一方に設けられたレールに対して回動自在且つ摺動自在に案内支持されており、前記レールは一端と他端を有し、該レールの一端近傍には扉板の配列の一端に位置する扉板の一端部と対峙する案内部材が設けられ、該案内部材の前端面は閉鎖時の該扉板の前面よりも後方に位置していることを特徴とする。
【０００７】
上記構成によれば複数の扉板を互いに連動させて同方向に回動させながら互いに折り畳み可能に開閉動作させることができる。したがって、扉装置の取り付けられる間口を大きく開放させることができるとともに、各扉板を同方向に違和感なく且つ楽に開閉動させることができる扉装置を提供することができる。しかも、全ての扉板がレールに案内されるので、安定した円滑な開閉操作が可能となる。また、扉板が互いにズレ動くことなく軌道上に保持され、さらに、全ての扉板を折り畳まれた状態でレールの案内に従って移動させることができる。また、扉板の配列の一端に位置する扉板の一端部は閉鎖位置から開動しはじめるときに案内部材の前端角部に当接して位置をずらしながら回動するので、円滑な開閉動作をさせることができる。また、扉板が閉鎖状態のとき扉板の配列の端に位置する扉板と間口との間の縦隙間を案内部材で塞ぐことができるので、扉装置の閉鎖機能が向上するとともに美観も向上する。
【０００８】
請求項２では、閉扉時に一列に整列される複数の扉板を備えた扉装置において、互いに隣接する２つの扉板間がそれぞれ平行な２本のレバーによって連結され、レバーと扉板とによりパンタグラフ機構が形成し、前記扉板の少なくとも上下何れか一方にレールが配置され、扉板の配列の一端部に位置する扉板の一端部が前記レールの一端近傍に摺動不能に枢支され、他の全ての扉板の一端部は該レールに対して回動自在且つ摺動自在に案内支持されており、扉板の配列の一端部に位置する扉板が揺動片を備え、該揺動片は一部を該扉板の一端部に枢着され且つ他部を前記レールの一端近傍に摺動不能に枢支される。
【０００９】
請求項２では、複数の扉板を互いに連動させて同方向に回動させながら互いに折り畳み可能に開閉動作させることができる。したがって、扉装置の取り付けられる間口を大きく開放させることができるとともに、各扉板を同方向に違和感なく且つ楽に開閉動させることができる扉装置を提供することができる。また、扉板の配列の一端に位置する扉板がレールの一端側に保持されるので、片開き型の扉装置とすることができる。また、レールの一端近傍に保持された扉板を開きはじめるときに、揺動片が揺動することにより、該扉板の一端部と間口の内側部との衝突を回避することができる。したがって、扉板が閉鎖状態のときは扉板の配列の端に位置する扉板と間口との間の縦隙間を小さくすることができるので、扉装置の閉鎖機能が向上するとともに美観も向上する。
【００１０】
上記請求項１又は２の構成においてレバーと共働してパンタグラフ機構を構成する扉板は少なくとも２枚以上であればよい。一方、３つ以上の扉板を有する場合、各扉板はそれぞれ一端部と他端部を有し、２本のレバーのうちの一方は互いに隣接する２つの扉板のうちの一方の扉板の中央部と他方の扉板の一端部とを、また他方のレバーは一方の扉板の他端部と他方の扉板の中央部とを連結して四節平行リンクを形成し、隣接する３つの扉板のうちの中央の扉板の中央部に連結されるレバーは扉板とほぼ同一の長さを有し、該レバーの両端が両側の扉板の一端部と他端部とにそれぞれ連結される。
【００１１】
上記実施形態の構成によれば最小限の部品点数で強靭且つ操作性の良い扉装置を提供することができる。
【００１２】
【発明の実施の形態】
以下、図面を参照して本発明の実施例につき説明する。この発明の第１実施例を図面に基づいて説明する。図１から図３に示される保管庫は、その保管庫本体１の前面に収納口１１が開口されており、収納口１１に対して４つの扉板２１，２２，２３を備えた扉装置が設けられている。
【００１３】
扉装置は図４から図７に示されるように互いに隣接する２つの扉板２１，２２間をそれぞれ平行な２本のレバー３１，３２で連結し、レバー３１，３２と扉板２１，２２とでパンタグラフ機構を形成している。なお、図１から図３はレバー３１，３２，３３を省略して図面の繁雑化を避けている。
【００１４】
また、他の視点から同じ扉装置を説明すれば、２つの扉板２１，２２は閉鎖時の左端部を一端部、右端部を他端部とすれば、２つのレバー３１，３２のうちの一方のレバー３１は互いに隣接する２つの扉板２１，２２のうちの一方の扉板２１の中央部と他方の扉板２２の一端部とを、また他方のレバー３２は一方の扉板２１の他端部と他方の扉板２２の中央部とを連結し四節平行リンクを形成している。この扉装置をさらに詳しく説明すれば、３つ以上の扉板２１，２２（２２，２３）を備えた扉装置において、隣接する３つの扉板２１，２２（２２，２３）のうちの中央の扉板２２の中央部に連結されるレバー３２は扉板２２とほぼ同一の長さを有し、該レバー３２の両端を両側の扉板２１，２２（２２，２３）の一端部と他端部とにそれぞれ連結している。
【００１５】
前記扉装置を具体的に説明すれば、以下のような構成である。
保管庫本体１の収納口１１の上下には、それぞれ形状の異なる平行な２本のレール１２，１３が延設されている。４つの扉板２１，２２，２３は全てほぼ同一の幅寸法に設定され、上下のレール１２，１３間に一枚毎に掛け渡されるように配置されており、全ての扉板２１，２２，２３の一端部の上部には吊下ローラ４が設けられ、吊下ローラ４は上側のレール１２に回動自在且つ摺動自在に吊下られている。また、全ての扉板２１，２２，２３の一端部の下部には下部案内ローラ５が設けられ、下側のレール１３に回動自在且つ摺動自在に案内支持されている。
【００１６】
レール１２，１３の一端としての左端に配置された扉板２１の上下にはそれぞれ、扉板２１の幅寸法の約１／２の長さの２つのレバー３１の一端がｙ字状に枢着され、上側のレバー３１の他端は隣接する扉板２２に吊下ローラ４と共に枢着され、同様に下側のレバー３１の他端は隣接する扉板２２に下部案内ローラ５と共に枢着されている。
【００１７】
中央の２枚の扉板２２の上下にはそれぞれ扉板２２の幅寸法とほぼ同一寸法のレバー３２の中央がＸ字状に枢着され、上下のレバー３２の一端は左側に隣接する扉板２１（２２）の他端部に枢着され、上側のレバー３２の他端は右側に隣接する扉板２２（２３）の一端部の上部に吊下ローラ４と共に枢着され、下側のレバー３２の他端は右側に隣接する扉２２（２３）の一端部の下部に下部案内ローラ５と共に枢着されている。
【００１８】
レール１２，１３の他端としての右端に配置された扉板２３の上下にはそれぞれ扉板２３の幅寸法とほぼ同一寸法のレバー３３の中央がＸ字状に枢着され、上下のレバー３３の一端は左側に隣接する扉板２２の他端部の上下にそれぞれ枢着されている。また、上下のレバー３３の他端はそれぞれ上下レール１２，１３に対して吊下ローラ４、下部案内ローラ５によって回動自在且つ摺動自在に支持されている。
【００１９】
前記レバー３１，３２，３３、各ローラ４，５、および扉板２１，２２，２３の互いの枢着部分の全ては図示しないワッシャーを挟み込み、予め加工された雌ネジ部分に連結ネジ６を螺着することにより回動自在に連結されている。
【００２０】
右端の扉板２３の表面の他端部には開閉操作用の取手部２４が設けられており、該取手部２４を保持して開閉操作できるように構成されている。また、左端の扉板２１の一端部の上下には、補強と、隙間を埋めることを目的とした平板２５が設けられている。
【００２１】
吊下ローラ４はブラケット４１と、ブラケット４１に水平軸芯をもつ軸により枢着されたローラ４２を備えており、該ローラ４２が図８に示されるように、Ｌ字状の断面に形成された上側のレール１２に吊下られている。
【００２２】
左右端に位置された吊下ローラ４のブラケット４１には、上側のレール１２との間に挿入されて吊下ローラ４がレール１２から脱落することを防止する滑子４３が嵌着されている。
【００２３】
下部案内ローラ５はローラ５１の中心を貫通する垂直な枢軸５２を備えており、枢軸５２は扉板２１，２２，２３およびレバー３３の枢着部に対して上下に出没可能に吊下られており、自重によりローラ５１が下側に位置されて、下側のレール１３に図９に示されるように係合されている。
【００２４】
前記吊下ローラ４および下部案内ローラ５は、次のような手順によって扉装置を保管庫本体１に取り付けできるように構成されている。
始めに、扉板２１，２２，２３にレバー３１，３２，３３および吊下ローラ４と下部案内ローラ５を取り付け扉装置を完成する。次に、上側のレール１２に対して吊下ローラ４を挿入して吊り下げ、その後に、下部案内ローラ５のローラ５１を上に持ち上げた状態で下側のレール１３上まで移動し、ローラ５１を放すことで、ローラ５１が自重によりレール１３内に落ち込み、レール１３に係合される。さらに、左右端の吊下ローラ４の上部に滑子４３を差し込み状に嵌着することにより、上側のレール１２に形成された吊下ローラ４を挿入するための隙間が埋められ、吊下ローラ４のガタツキが防止される。
【００２５】
なお、扉装置は吊下ローラ４による吊り下げ構造ではなく、下側のレール１３で荷重を受け、上側のレール１２で倒れないように案内保持する構造とすることも可能であり、このような場合には上下のレール１２，１３に対する回動および摺動可能な構造を適宜選択して適用することができる。
【００２６】
扉装置を閉鎖した状態で、左端に配置された扉板２１の一端部が対峙される保管庫本体１の収納口１１には、図１０に示されるように所定の厚み寸法Ａを有する板状の案内部材７が取り付けられている。扉板２１，２２，２３が金属性の場合、案内部材７は好ましくは合成樹脂からなる。この案内部材７は扉板２１の前面よりも後方に位置する前端面７１を備えており、該前端面７１は扉板２１に近接する角部が好ましくは円弧状に面取りされている。配列の端に位置する扉板２１は連結ネジ６の軸芯回りに回動して開きはじめる時にその一端部が案内部材７の前端面７１の角部に当接することにより、収納口１１の内側に位置をずらしながら該当接部を支点として回動する。したがって、扉板２１を保管庫本体１の収納口１１の円滑に開動させることができる。また、閉鎖時には扉板２１と保管庫本体１の収納口１１の側板部との間の縦隙間を案内部材７によって塞ぐことができる。
【００２７】
前記構成によれば扉板２１，２２，２３を同方向に回動させながら互いに折り畳み可能に開閉動作させることができ、さらに、両端の扉板２１，２２，２３が保管庫本体１に連結されていないので、折り畳まれた状態の扉板２１，２２，２３をレール１２，１３の範囲で左右に移動させることも可能である。
【００２８】
【第２実施例】
図１１から図１４を参照して、この発明の第２実施例について以下に説明する。保管庫本体１の収納口１１の上下には、形状の異なる平行な２本のレール１２，１３が延設されている。４つの扉板２１，２２，２３は全てほぼ同一の幅寸法に設定され、上下のレール１２，１３間に掛け渡されるように配置されており、右側の３つの扉板２２，２３の一端部の上部には吊下ローラ４が設けられ、該吊下ローラ４は上側のレール１２に回動自在且つ摺動自在に吊下られている。また、右側の３つの扉板２２，２３の一端部の下部には下部案内ローラ５が設けられ、該下部案内ローラ５は下側のレール１３に回動自在且つ摺動自在に案内支持されている。
【００２９】
レール１２，１３の一端としての左端に配置された扉板２１の上下にはそれぞれ、扉板２１の幅寸法の約１／２の長さの２つのレバー３１の一端がｙ字状に枢着され、上側のレバー３１の他端は隣接する扉板２２に吊下ローラ４と共に枢着され、同様に下側のレバー３１の他端は隣接する扉板２２に下部案内ローラ５と共に枢着されている。
【００３０】
中央の２枚の扉板２２の上下にはそれぞれ扉板２２の幅寸法とほぼ同一寸法のレバー３２の中央がＸ字状に枢着され、上下のレバー３２の一端は左側に隣接する扉板２１（２２）の他端部に枢着され、上側のレバー３２の他端は右側に隣接する扉板２２（２３）の一端部の上部に吊下ローラ４と共に枢着され、下側のレバー３２の他端は右側に隣接する扉２２（２３）の一端部の下部に下部案内ローラ５と共に枢着されている。
【００３１】
レール１２，１３の他端としての右端に配置された扉板２３の上下にはそれぞれ扉板２３の幅寸法とほぼ同一寸法のレバー３３の中央がＸ字状に枢着され、上下のレバー３３の一端は左側に隣接する扉板２２の他端部の上下にそれぞれ枢着されている。また、上下のレバー３３の他端はそれぞれ上下レール１２，１３に対して吊下ローラ４、下部案内ローラ５によって回動自在且つ摺動自在に支持されている。
【００３２】
前記レバー３１，３２，３３、各ローラ４，５、および扉板２１，２２，２３の互いの枢着部分の全ては図示しないワッシャーを挟み込み、予め加工された雌ネジ部分に連結ネジ６を螺着することにより回動自在に連結されている。
【００３３】
吊下ローラ４はブラケット４１と、ブラケット４１に水平軸によって枢着された一対のローラ４２を備えており、該ローラ４２が図１２に示されるように、互いに対峙するＬ字状断面の上側のレール１２に吊下られている。
下部案内ローラ５はローラ５１の中心を貫通する垂直な枢軸５２を備えており、下側のレール１３に図１３に示されるように係合されている。
【００３４】
配列の左端に配置された扉板２１の一端部の上下にはそれぞれ、図１１に示されるような揺動片８の一部が連結されている。該揺動片８の他部が保管庫本体１の収納口１１の上下に回動自在に連結されており、また、扉板２１と揺動片８とを枢着する枢軸８１の位置は図１４中に示されるように、他の扉２２の枢支軸を構成する連結ネジ６よりも、寸法Ｂ前方にずらされた位置に設定されている。
【００３５】
さらに、揺動片８と保管庫本体１の連結部、または、揺動片８と扉板２１の連結部の何れか一方、または、双方の部品間に、扉板２１の回動の軸心を所定の範囲内で移動可能とする遊びが設けられている。揺動片８と、この揺動片８に関連する部品間に遊びが設けられることにより、回動の中心がずらされることにより完全なパンタグラフ機構を構成していない４枚の扉板２１，２２，２３を支障なく開閉できる。さらに、揺動片８を設けることにより扉板２１の回動の中心を所定寸法Ｂ前方に位置させたので、扉装置の開放の際に左端の扉板２１の一端部が、保管庫本体１の収納口１１に強く当接されることを防止して、扉板２１を円滑に開閉できる。
【００３６】
この発明は前記第１実施例および第２実施例の態様のみに限定されるものではない。例えば、図１５R>５に示されるように、扉装置の左右の構成を全く逆に構成したり、扉板の枚数を変更することも可能である。また、図１６に示されるように対称的に構成された扉装置を左右に配置することも可能である。なお、図１５および図１６は図面の繁雑化を避けるためにレバー３１，３２，３３を省略している。本発明の扉装置は扉板とレバーとによってパンタグラフ機構を構成するので、３枚、５枚等の奇数枚の扉板を同方向に回動可能且つ互いに折畳み可能に連結できる他、２枚の扉板を同方向に回動可能且つ互いに折畳み可能に連結することもできる。さらに、本発明の扉装置は保管庫以外の家具用収納庫や、建築物の出入り口、建築物内の可動間中仕切り等にも好適に用いることができる。
【００３７】
【発明の効果】
本発明によれば閉扉時に一列に整列される複数の扉板を同一方向に回動させながら互いに折り畳み可能に開閉動作させることができるので、操作性及び美観に優れた扉装置を提供することができる。
【図面の簡単な説明】
【図１】  保管庫に適用された扉装置の閉鎖状態を示す斜視図である。
【図２】  図１の扉装置の開放途中の状態を示す斜視図である。
【図３】  図１の扉装置の全開状態を示す斜視図である。
【図４】  実施例の扉装置の閉鎖状態を示す平面図である。
【図５】  図４の扉装置の開放途中の状態を示す平面図である。
【図６】  図４の扉装置の全開状態を示す平面図である。
【図７】  扉装置の分解斜視図である。
【図８】  扉板の吊下構造を示す側断面図である。
【図９】  扉装置の下部案内構造を示す側断面図である。
【図１０】  レールの端部に位置する扉板の一端部と保管庫本体との当接構造を示す平断面図である。
【図１１】  扉装置の他の実施例を示す分解斜視図である。
【図１２】  図１１の扉板の吊下構造を示す側断面図である。
【図１３】  図１１の扉装置の下部案内構造を示す側断面図である。
【図１４】  レールの端部に位置する扉板の一端部と保管庫本体との当接構造を示す平面断面である。
【図１５】  扉板の開き方向を左右逆にした構造を示す保管庫の斜視図である。
【図１６】  保管庫の左右に対象構造の２つの扉装置を設けた状態を示す斜視図である。
【図１７】  従前の扉装置を適用した保管庫を示す斜視図である。
【符号の説明】
１      保管庫本体
１１      収納口
１２      上側レール
１３      下側レール
２１，２２，２３      扉板
３１，３２      レバー
４      吊下ローラ
４１      ブラケット
４２      ローラ
４３      滑子
５      下部案内ローラ
５１      ローラ
５２      枢軸
６      連結ネジ
７      案内部材
７１      前端面
８      揺動片
８１      枢軸
【図１】
0003700959.tif 000002
【図２】
0003700959.tif 000003
【図３】
0003700959.tif 000004
【図４】
0003700959.tif 000005
【図５】
0003700959.tif 000006
【図６】
0003700959.tif 000007
【図７】
0003700959.tif 000008
【図８】
0003700959.tif 000009
【図９】
0003700959.tif 000010
【図１０】
0003700959.tif 000011
【図１１】
0003700959.tif 000012
【図１２】
0003700959.tif 000013
【図１３】
0003700959.tif 000014
【図１４】
0003700959.tif 000015
【図１５】
0003700959.tif 000016
【図１６】
0003700959.tif 000017
【図１７】
0003700959.tif 000018